(57)【要約】【課題】単純なデータ設定でＩＰ電話機の電話番号を自動的に採番できる、利便性の高いゲートキーパ装置を提供する。【解決手段】インタフェース手段４、データ解析・検出手段６から供給されるネットワークアドレスＷＡを記憶手段７に格納されている電話番号採番テーブルＴＳのネットワークアドレスＷＡに対応した電話番号帯ＢＮを参照し、電話番号ＢＴを採番する制御手段５、制御手段５から供給されるＩＰアドレスＩＡおよびＭＡＣアドレスＭＡを解析し、ＩＰアドレスＩＡデータに含まれるネットワークアドレスＷＡを検出して制御手段５に提供するデータ解析・検出手段６、電話番号採番テーブルＴＳおよび電話番号データテーブルＴＤを格納する記憶手段７、電話番号決定手段８、表示手段９、キー入力手段１０、切替手段１１を有する電話番号採番手段３を備える。【選択図】　図２
2004147101.tif 000002
【特許請求の範囲】
【請求項１】
ＶｏＩＰ（Ｖｏｉｃｅ　ｏｖｅｒ　Ｉｎｔｅｒｎｅｔ　Ｐｒｏｔｏｃｏｌ）網に接続されるＩＰ電話機の電話番号を自動的に採番するゲートキーパ装置であって、
前記ＩＰ電話機の運用開始前に、前記ＩＰ電話機から前記ＶｏＩＰ網を介して送信されてくるＭＡＣ（Ｍｅｄｉａ　Ａｃｃｅｓｓ　Ｃｏｎｔｒｏｌ）アドレスおよびＩＰ（ＩｎｔｅｒｎｅｔＰｒｏｔｏｃｏｌ）アドレスのうち、ＩＰアドレスに含まれるネットワークアドレスに基づいて予め設定された電話番号帯から電話番号を採番して前記ＩＰ電話機に通知するとともに、採番した電話番号、ＩＰアドレスおよびＭＡＣアドレスを関連付けて登録し、管理する電話番号採番手段を備えたことを特徴とするゲートキーパ装置。
【請求項２】
前記電話番号採番手段は、ＶｏＩＰ網に接続してＩＰパケットを送受信するインタフェース手段、前記ＶｏＩＰ網から受信したＩＰ電話機のＩＰアドレスおよびＭＡＣアドレスを記憶するとともに、電話番号採番テーブルおよび電話番号データテーブルを格納する記憶手段、前記記憶手段に記憶されたＩＰアドレスを解析し、ネットワークアドレスを検出するデータ解析・検出手段、前記データ解析・検出手段が検出したネットワークアドレスに基づいて前記記憶手段に格納された電話番号採番テーブルを参照して電話番号を採番し、前記ＩＰ電話機に通知するとともに、採番した電話番号を前記記憶手段に格納された電話番号データテーブルに登録する制御手段、を備えたことを特徴とする請求項１記載のゲートキーパ装置。
【請求項３】
前記電話番号採番テーブルは、ネットワークアドレスに対応した電話番号帯および採番済電話番号のデータで形成することを特徴とする請求項２記載のゲートキーパ装置。
【請求項４】
前記電話番号帯は、複数のグループで形成し、各グループに複数の電話番号が含まれることを特徴とする請求項１または請求項３記載のゲートキーパ装置。
【請求項５】
前記電話番号データテーブルは、採番した電話番号に対応したＩＰ電話機のＩＰアドレスおよびＭＡＣアドレスのデータで形成することを特徴とする請求項２記載のゲートキーパ装置。
【請求項６】
前記制御手段は、前記データ解析・検出手段が検出したネットワークアドレスに基づいて電話番号採番テーブルの電話番号帯を検索し、検索した電話番号帯で採番済みの最も大きい数字の電話番号に＋１を加算処理して新たな電話番号を採番する電話番号決定手段を備えたことを特徴とする請求項２記載のゲートキーパ装置。
【請求項７】
ＶｏＩＰ（Ｖｏｉｃｅ　ｏｖｅｒ　Ｉｎｔｅｒｎｅｔ　Ｐｒｏｔｏｃｏｌ）網に接続されるＩＰ電話機の電話番号を自動的に採番するゲートキーパ装置の電話番号採番方法であって、
ＩＰ電話機からＩＰアドレス、ＭＡＣアドレスを受信して記憶するステップ（Ｓ１）と、
ＩＰアドレスを解析し、ネットワークアドレスを検出するステップ（Ｓ２）と、
電話番号帯の採番済み電話番号に＋１を加算するステップ（Ｓ３）と、
採番した電話番号が電話番号帯を超えるか否かを判定するステップ（Ｓ４）と、
採番した電話番号、ＩＰアドレス、ＭＡＣアドレスを登録するステップ（Ｓ５）と、
採番した電話番号をＩＰ電話機に通知するステップ（Ｓ６）と、
を備えたことを特徴とするゲートキーパ装置の電話番号採番方法。
【発明の詳細な説明】
【０００１】
【発明の属する技術分野】
本発明はＶｏＩＰ（Ｖｏｉｃｅ　ｏｖｅｒ　Ｉｎｔｅｒｎｅｔ　Ｐｒｏｔｏｃｏｌ）網に接続されるＩＰ電話機の電話番号を自動的に採番するゲートキーパ装置に係り、特にＩＰ電話機が接続されるサブネットのネットワークアドレスに基づいて電話番号を採番し、ＩＰ電話機に通知するとともに、採番した電話番号に対応してＩＰ電話機のＩＰアドレスおよびＭＡＣアドレスを登録するゲートキーパ装置に関する。
【０００２】
【従来の技術】
従来の技術には、
【特許文献１】に開示されているように、ネットワークで使用するネットワークアドレスを元に、ネットワークアドレスに他の固有の情報を付加してユーザ端末（ＩＰ電話端末）に固有のアドレス（電話番号等）を設定するアドレス自動割当装置が知られている。
【０００３】
このように、従来のアドレス自動割当装置は、ユーザ端末から送信されたネットワークアドレスを元に、ネットワークアドレスに他の固有の情報を付加して固有のアドレスを設定するため、一意性を確保した電話番号などのアドレスをユーザ端末に設定するものである。
【０００４】
【特許文献１】
特開２００１−１５６８４６号公報
【０００５】
【発明が解決しようとする課題】
【特許文献１】に開示された従来のアドレス自動割当装置は、ユーザ端末に固有のアドレス（例えば、電話番号）を自動設定するためには、ＩＰアドレス／ＭＡＣアドレス単位毎に、全てのユーザ端末（ＩＰ電話端末）が使用する個々の電話番号を予め手動で設定し、電話番号データベースを生成しておく必要があり、電話番号を設定するユーザ端末が多い場合には、電話番号の設定作業に膨大な工数が必要となるとともに、設定作業が煩雑となる課題がある。
【０００６】
この発明はこのような課題を解決するためになされたもので、その目的は単純なデータ設定でＩＰ電話機の電話番号を自動的に採番できる、利便性の高いゲートキーパ装置を提供することにある。
【０００７】
【課題を解決するための手段】
前記課題を解決するためこの発明に係るゲートキーパ装置は、ＶｏＩＰ（Ｖｏｉｃｅ　ｏｖｅｒ　Ｉｎｔｅｒｎｅｔ　Ｐｒｏｔｏｃｏｌ）網に接続されるＩＰ電話機の電話番号を自動的に採番するゲートキーパ装置であって、ＩＰ電話機の運用開始前に、ＩＰ電話機からＶｏＩＰ網を介して送信されてくるＭＡＣ（Ｍｅｄｉａ　Ａｃｃｅｓｓ　Ｃｏｎｔｒｏｌ）アドレスおよびＩＰ（Ｉｎｔｅｒｎｅｔ　Ｐｒｏｔｏｃｏｌ）アドレスのうち、ＩＰアドレスに含まれるネットワークアドレスに基づいて予め設定された電話番号帯から電話番号を採番してＩＰ電話機に通知するとともに、採番した電話番号、ＩＰアドレスおよびＭＡＣアドレスを関連付けて登録し、管理する電話番号採番手段を備えたことを特徴とする。
【０００８】
この発明に係るゲートキーパ装置は、ＩＰ電話機の運用開始前に、ＩＰ電話機からＶｏＩＰ網を介して送信されてくるＭＡＣ（Ｍｅｄｉａ　Ａｃｃｅｓｓ　Ｃｏｎｔｒｏｌ）アドレスおよびＩＰ（Ｉｎｔｅｒｎｅｔ　Ｐｒｏｔｏｃｏｌ）アドレスのうち、ＩＰアドレスに含まれるネットワークアドレスに基づいて予め設定された電話番号帯から電話番号を採番してＩＰ電話機に通知するとともに、採番した電話番号、ＩＰアドレスおよびＭＡＣアドレスを関連付けて登録し、管理する電話番号採番手段を備えたので、ＩＰ電話機が接続されるネットワークのネットワークアドレスと電話番号帯（最初の電話番号と終わりの電話番号、例えば、２１００番と２１９９番）を指定することにより、電話番号帯の台数分の電話番号を自動的に採番し、電話番号データとして登録することができ、単純なデータ設定で大幅な工数削減を実現するとともに、利便性の向上を図ることができる。
【０００９】
また、この発明に係る電話番号採番手段は、ＶｏＩＰ網に接続してＩＰパケットを送受信するインタフェース手段、ＶｏＩＰ網から受信したＩＰ電話機のＩＰパケットおよびＭＡＣアドレスを記憶するとともに、電話番号採番テーブルおよび電話番号データテーブルを格納する記憶手段、記憶手段に記憶されたＩＰパケットを解析し、ネットワークアドレスを検出するデータ解析・検出手段、データ解析・検出手段が検出したネットワークアドレスに基づいて記憶手段に格納された電話番号採番テーブルを参照して電話番号を採番し、ＩＰ電話機に通知するとともに、採番した電話番号を記憶手段に格納された電話番号データテーブルに登録する制御手段を備えたことを特徴とする。
【００１０】
この発明に係る電話番号採番手段は、ＶｏＩＰ網に接続してＩＰパケットを送受信するインタフェース手段、ＶｏＩＰ網から受信したＩＰ電話機のＩＰアドレスおよびＭＡＣアドレスを記憶するとともに、電話番号採番テーブルおよび電話番号データテーブルを格納する記憶手段、記憶手段に記憶されたＩＰアドレスを解析し、ネットワークアドレスを検出するデータ解析・検出手段、データ解析・検出手段が検出したネットワークアドレスに基づいて記憶手段に格納された電話番号採番テーブルを参照して電話番号を採番し、ＩＰ電話機に通知するとともに、採番した電話番号を記憶手段に格納された電話番号データテーブルに登録する制御手段を備えたので、ＩＰ電話機のＩＰアドレスを解析してネットワークアドレスを検出し、電話番号採番テーブルを参照して電話番号帯から電話番号を採番してＩＰ電話機に通知するとともに、採番した電話番号、ＩＰアドレスおよびＭＡＣアドレスを電話番号データテーブルに登録することができる。
【００１１】
さらに、この発明に係る電話番号採番テーブルは、ネットワークアドレスに対応した電話番号帯および採番済電話番号のデータで形成することを特徴とする。
【００１２】
この発明に係る電話番号採番テーブルは、ネットワークアドレスに対応した電話番号帯および採番済電話番号のデータで形成するので、ＩＰ電話機から供給されるＩＰアドレスに含まれるネットワークアドレスが判明すると、電話番号帯域の中からＩＰ電話機の電話番号を採番することができ、準備するテーブルを単純化して作業工数の削減を実現することができる。
【００１３】
また、この発明に係る電話番号帯は、複数のグループで形成し、各グループに複数の電話番号が含まれることを特徴とする。
【００１４】
この発明に係る電話番号帯は、複数のグループで形成し、各グループに複数の電話番号が含まれるので、ＩＰ電話機が設置される拠点が複数箇所で、ＩＰ電話機の台数が多く、将来に亘って増設が予想される場合にも充分対応することができ、システムの拡張性をアピールすることができる。
【００１５】
さらに、この発明に係る電話番号データテーブルは、採番した電話番号に対応したＩＰ電話機のＩＰアドレスおよびＭＡＣアドレスのデータで形成することを特徴とする。
【００１６】
この発明に係る電話番号データテーブルは、採番した電話番号に対応したＩＰ電話機のＩＰアドレスおよびＭＡＣアドレスのデータで形成するので、採番した電話番号に対応したＩＰ電話機のＩＰアドレスおよびＭＡＣアドレスのデータに基づいて全ＩＰ電話機を管理することができる。
【００１７】
また、この発明に係る制御手段は、データ解析・検出手段が検出したネットワークアドレスに基づいて電話番号採番テーブルの電話番号帯を検索し、検索した電話番号帯で採番済みの最も大きい数字の電話番号に＋１を加算処理して新たな電話番号を採番する電話番号決定手段を備えたことを特徴とする。
【００１８】
この発明に係る制御手段は、データ解析・検出手段が検出したネットワークアドレスに基づいて電話番号採番テーブルの電話番号帯を検索し、検索した電話番号帯で採番済みの最も大きい数字の電話番号に＋１を加算処理して新たな電話番号を採番する電話番号決定手段を備えたので、＋１を加算するという単純な演算で新たな電話番号を採番することができ、装置の単純化を図ることができる。
【００１９】
さらに、この発明に係るゲートキーパ装置の電話番号採番方法は、ＶｏＩＰ（Ｖｏｉｃｅ　ｏｖｅｒ　Ｉｎｔｅｒｎｅｔ　Ｐｒｏｔｏｃｏｌ）網に接続されるＩＰ電話機の電話番号を自動的に採番する方法であって、ＩＰ電話機からＩＰアドレス、ＭＡＣアドレスを受信して記憶するステップ（Ｓ１）と、ＩＰアドレスを解析し、ネットワークアドレスを検出するステップ（Ｓ２）と、電話番号帯の採番済み電話番号に＋１を加算するステップ（Ｓ３）と、採番した電話番号が電話番号帯を超えるか否かを判定するステップ（Ｓ４）と、採番した電話番号、ＩＰアドレス、ＭＡＣアドレスを登録するステップ（Ｓ５）と、採番した電話番号をＩＰ電話機に通知するステップ（Ｓ６）とを備えたことを特徴とする。
【００２０】
この発明に係るゲートキーパ装置の電話番号採番方法は、ＩＰ電話機からＩＰアドレス、ＭＡＣアドレスを受信して記憶するステップ（Ｓ１）と、ＩＰアドレスを解析し、ネットワークアドレスを検出するステップ（Ｓ２）と、電話番号帯の採番済み電話番号に＋１を加算するステップ（Ｓ３）と、採番した電話番号が電話番号帯を超えるか否かを判定するステップ（Ｓ４）と、採番した電話番号、ＩＰアドレス、ＭＡＣアドレスを登録するステップ（Ｓ５）と、採番した電話番号をＩＰ電話機に通知するステップ（Ｓ６）とを備えたので、ネットワークアドレスと電話番号帯との対応した採番済電話番号に＋１を加算することで新たな電話番号を採番することができ、電話番号の自動採番の拡張性に優れ、利便性の向上を図ることができる。
【００２１】
【発明の実施の形態】
以下、この発明の実施の形態を添付図面に基づいて説明する。なお、本発明は、企業体や事業体の複数の拠点（支社、営業所等）にＩＰ電話機を設置した際に、各拠点のネットワークのネットワークアドレスに基づいてＩＰ電話機の電話番号を自動的に採番できる利便性の高いゲートキーパ装置を提供するものである。
【００２２】
図１はこの発明に係るゲートキーパ装置が適用されるＶｏＩＰ電話システムの一実施の形態構成図である。図１において、ＶｏＩＰ電話システム１は、拠点Ａ〜拠点ＥのそれぞれサブネットＮＳ１〜ＮＳ５に接続するＩＰ電話機ＩＰ−Ｔ１１〜ＩＰ−Ｔ１ｎ，ＩＰ−Ｔ２１〜ＩＰ−Ｔ２ｎ，ＩＰ−Ｔ３１〜ＩＰ−Ｔ３ｎ，ＩＰ−Ｔ４１〜ＩＰ−Ｔ４ｎおよびＩＰ−Ｔ５１〜ＩＰ−Ｔ５ｎと、サブネットＮＳ１〜ＮＳ５とＶｏＩＰ網ＮＴを接続するルータＲ１〜Ｒ５と、ＶｏＩＰ網ＮＴに接続するゲートキーパ装置２とから構成する。
【００２３】
例えば、拠点Ａを東京本社、拠点Ｂを大阪支社、拠点Ｃを名古屋支店、拠点Ｄを福岡支店、拠点Ｅを札幌支店とし、拠点Ａ〜Ｅ内のサブネットＮＳ１〜ＮＳ５は、ＬＡＮ（Ｌｏｃａｌ　Ａｒｅａ　Ｎｅｔｗｏｒｋ）等で形成するとともに、拠点Ａ〜Ｅ間をルータＲ１〜Ｒ５を介してＶｏＩＰ網ＮＴの専用回線で接続する。
【００２４】
ＩＰ電話機ＩＰ−Ｔ１１〜ＩＰ−Ｔ１ｎは、電話番号の要求時に、それぞれＩＰ電話機に設定されたＩＰアドレスＩＡおよびＭＡＣアドレスＭＡをサブネットＮＳ１に送信し、ルータＲ１を介してＶｏＩＰ網ＮＴに送出する。
【００２５】
同様に、拠点Ｂ〜拠点ＥのＩＰ電話機も電話番号の要求時に、それぞれＩＰ電話機に設定されたＩＰアドレスＩＡおよびＭＡＣアドレスＭＡをサブネットＮＳ２〜ＮＳ５に送信し、ルータＲ２〜Ｒ５を介してＶｏＩＰ網ＮＴに送出する。
【００２６】
また、サブネットＮＳ１〜ＮＳ５には、それぞれ異なるネットワークアドレスＷＡが設定され、ＩＰ電話機のＩＰアドレスＩＡ時に、それぞれのＩＰ電話機が属するサブネットＮＳ１〜ＮＳ５のネットワークアドレスＷＡを設定する。したがって、例えばサブネットＮＳ１に接続されるＩＰ電話機ＩＰ−Ｔ１１〜ＩＰ−Ｔ１ｎのＩＰアドレスＩＡおよびＭＡＣアドレスＭＡは、それぞれ異なるが、ＩＰアドレスＩＡに含まれるネットワークアドレスＷＡは全て同じになる。
【００２７】
ゲートキーパ装置２は、パーソナルコンピュータ等で構成し、電話番号採番手段３を備える。ゲートキーパ装置２は、ＶｏＩＰ電話システム１を構築し、拠点Ａ〜拠点ＥのサブネットＮＳ１〜ＮＳ５にＩＰ電話機を接続し、システムの運用開始前に、ＩＰ電話機の電話番号を設定（採番）する。
【００２８】
電話番号の設定（採番）は、ＩＰ電話機（例えば、ＩＰ−Ｔ１１）から電話番号の要求時に、ＩＰアドレスＩＡおよびＭＡＣアドレスＭＡがＶｏＩＰ網ＮＴを介して供給されると、ゲートキーパ装置２の電話番号採番手段３は、ＩＰアドレスＩＡおよびＭＡＣアドレスＭＡを受信し、ＩＰアドレスＩＡに含まれるネットワークアドレスＷＡを検出し、ネットワークアドレスＷＡに基づいて予め設定された電話番号帯（例えば、２１００番〜２１９９番）から電話番号（例えば、２１００番）を採番し、ＶｏＩＰ網ＮＴを介してＩＰ電話機（例えば、ＩＰ−Ｔ１１）に送信することにより、ＩＰ電話機（例えば、ＩＰ−Ｔ１１）に電話番号（例えば、２１００番）を通知して設定する。
【００２９】
また、電話番号採番手段３は、採番した電話番号（例えば、２１００番）、ＩＰ電話機ＩＰ−Ｔ１１から供給されたＩＰアドレスおよびＭＡＣアドレスを関連付けて登録し、管理する。
【００３０】
電話番号採番手段３は、他のＩＰ電話機ＩＰ−Ｔ１２〜ＩＰ−Ｔ１ｎ、ＩＰ−Ｔ２１〜ＩＰ−Ｔ２ｎ，ＩＰ−Ｔ３１〜ＩＰ−Ｔ３ｎ，ＩＰ−Ｔ４１〜ＩＰ−Ｔ４ｎおよびＩＰ−Ｔ５１〜ＩＰ−Ｔ５ｎについても同様に電話番号を設定（採番）してそれぞれのＩＰ電話機に通知するとともに、電話番号、ＩＰアドレスおよびＭＡＣアドレスを関連付けて登録し、管理する。
【００３１】
このように、この発明に係るゲートキーパ装置２は、ＩＰ電話機ＩＰ−Ｔ１１〜ＩＰ−Ｔ５ｎの運用開始前に、ＩＰ電話機からＶｏＩＰ網ＮＴを介して送信されてくるＭＡＣ（Ｍｅｄｉａ　Ａｃｃｅｓｓ　Ｃｏｎｔｒｏｌ）アドレスＭＡおよびＩＰ（Ｉｎｔｅｒｎｅｔ　Ｐｒｏｔｏｃｏｌ）アドレスＩＡのうち、ＩＰアドレスＩＡに含まれるネットワークアドレスＷＡに基づいて予め設定された電話番号帯から電話番号を採番してＩＰ電話機に通知するとともに、採番した電話番号、ＩＰアドレスＩＡおよびＭＡＣアドレスＭＡを関連付けて登録し、管理する電話番号採番手段３を備えたので、ＩＰ電話機が接続されるネットワーク（サブネットＮＳ１〜ＮＳ５）のネットワークアドレスＷＡと電話番号帯（最初の電話番号と終わりの電話番号、例えば、２１００番と２１９９番）を指定することにより、電話番号帯の台数分の電話番号を自動的に採番し、電話番号データとして登録することができ、単純なデータ設定で大幅な工数削減を実現するとともに、利便性の向上を図ることができる。
【００３２】
図２はこの発明に係る電話番号採番手段の一実施の形態要部ブロック構成図である。図２において、電話番号採番手段３は、マイクロプロセッサを基本にソフトウェア制御の各種処理機能、演算機能、照合機能等を備え、インタフェース手段４、制御手段５、データ解析・検出手段６、記憶手段７、表示手段９、キー入力手段１０、切替手段１１を備える。また、制御手段５は、電話番号決定手段８を備える。
【００３３】
インタフェース手段４は、ＶｏＩＰ網ＮＴに接続してＩＰ電話機からのＩＰアドレスＩＡおよびＭＡＣアドレスＭＡのＩＰパケットを受信し、ＩＰアドレスＩＡおよびＭＡＣアドレスＭＡを制御手段５に提供する。また、インタフェース手段４は、制御手段５から供給されるＩＰ電話機の採番した電話番号ＢＴのＩＰパケットをＩＰ電話機に送信する。
【００３４】
制御手段５は、インタフェース手段４から提供されるＩＰアドレスＩＡおよびＭＡＣアドレスＭＡを記憶手段７に供給して一時記憶させるとともに、一時記憶させたＩＰアドレスＩＡおよびＭＡＣアドレスＭＡをデータ解析・検出手段６に供給する。
【００３５】
また、制御手段５は、データ解析・検出手段６が検出したネットワークアドレスＷＡを記憶手段７に格納されている電話番号採番テーブルＴＳのネットワークアドレスＷＡに対応した電話番号帯ＢＮと参照し、電話番号帯ＢＮの範囲内で電話番号ＢＴを採番する。
【００３６】
さらに、制御手段５は、電話番号ＢＴを採番する電話番号決定手段８を備える。電話番号決定手段８は、＋１加算機能を備え、データ解析・検出手段６が検出したネットワークアドレスＷＡに基づいて電話番号採番テーブルＴＳの電話番号帯ＢＮを検索し、検索した電話番号帯ＢＮで採番済みの最も大きい数字の電話番号ＢＴに＋１を加算処理して新たな電話番号ＢＴを採番する。
【００３７】
このように、この発明に係る制御手段５は、データ解析・検出手段６が検出したネットワークアドレスＷＡに基づいて電話番号採番テーブルＴＳの電話番号帯ＢＮを検索し、検索した電話番号帯ＢＮで採番済みの最も大きい数字の電話番号ＢＴに＋１を加算処理して新たな電話番号ＢＴを採番する電話番号決定手段８を備えたので、＋１を加算するという単純な演算で新たな電話番号ＢＴを採番することができ、装置の単純化を図ることができる。
【００３８】
また、制御手段５は、電話番号決定手段８で＋１を加算して新たな電話番号ＢＴを採番した場合、新たな電話番号ＢＴが電話番号帯ＢＮの上限値をオーバする場合には、電話番号ＢＴの採番が不可能であると判断し、その旨を該当するＩＰ電話機に通知する。
【００３９】
さらに、制御手段５は、新たな電話番号ＢＴを採番した後、採番した電話番号ＢＴをインタフェース手段４を介してＶｏＩＰ網ＮＴに送出させる。また、制御手段５は、記憶手段７に一時記憶したＩＰアドレスＩＡおよびＭＡＣアドレスＭＡを呼出し、新たな電話番号ＢＴ、ＩＰアドレスＩＡおよびＭＡＣアドレスＭＡを関連付けて記憶手段７に格納した電話番号データテーブルＴＤに登録する。
【００４０】
データ解析・検出手段６は、制御手段５から供給されるＩＰアドレスＩＡおよびＭＡＣアドレスＭＡを解析し、ＩＰアドレスＩＡデータに含まれるネットワークアドレスＷＡを検出し、ネットワークアドレスＷＡを制御手段５に提供する。
【００４１】
記憶手段７は、書換え可能なＲＡＭ等のメモリ、ＲＯＭ等の固定メモリで構成し、制御手段５から供給されるＩＰアドレスＩＡおよびＭＡＣアドレスＭＡを一時記憶し、制御手段５に供給する。
【００４２】
また、記憶手段７は、電話番号採番テーブルＴＳおよび電話番号データテーブルＴＤを格納する。
【００４３】
図３はこの発明に係る電話番号採番テーブルの一実施の形態イメージ図である。図３において、電話番号採番テーブルＴＳは、ネットワークアドレスＷＡ、ネットワークアドレスＷＡに対応した電話番号帯ＢＮおよび電話番号帯ＢＮから採番済の電話番号（採番済電話番号）ＢＴを備える。
【００４４】
ネットワークアドレスＷＡの「１０．７７．１９１．０」〜「１０．７７．１９５．０」は、それぞれサブネットＮＳ１〜ＮＳ５に対応する。また、電話番号帯ＢＮの「２１００〜２１９９」は、サブネットＮＳ１に接続可能なＩＰ電話機が１００台で、電話番号２１００番から２１９９番まで割り付けられることを表わす。さらに、採番済電話番号ＢＴの「２１００、２１０１」は、サブネットＮＳ１に接続したＩＰ電話機の２台に既に「２１００番」、「２１０１番」が設定（採番）されたことを表す。したがって、次のＩＰ電話機には、「２１０１番」に＋１を加算した「２００２番」が設定（採番）されることになる。
【００４５】
また、電話番号帯ＢＮは、複数のグループで構成してそれぞれ複数の電話番号「２１００〜２１９９」、「２２００〜２２９９」，…、「２５００〜２５７０」から形成される。
【００４６】
このように、この発明に係る電話番号採番テーブルＴＳは、ネットワークアドレスＷＡに対応した電話番号帯ＢＮおよび採番済電話番号ＢＴのデータで形成するので、ＩＰ電話機から供給されるＩＰアドレスＩＡに含まれるネットワークアドレスＷＡが判明すると、電話番号帯域ＢＮの中からＩＰ電話機の電話番号ＢＴを採番することができ、準備するテーブルを単純化して作業工数の削減を実現することができる。
【００４７】
また、この発明に係る電話番号帯ＢＮは、複数のグループで形成し、各グループに複数の電話番号ＢＴが含まれるので、ＩＰ電話機が設置される拠点が複数箇所で、ＩＰ電話機の台数が多く、将来に亘って増設が予想される場合にも充分対応することができ、システムの拡張性をアピールすることができる。
【００４８】
図４はこの発明に係る電話番号データテーブルの一実施の形態イメージ図である。図４において、電話番号データテーブルＴＤは、採番済みの電話番号ＢＴ、採番した電話番号ＢＴに対応したＩＰ電話機のＩＰアドレスＩＡおよびＭＡＣアドレスＭＡを備える。
【００４９】
採番した電話番号ＢＴに対応したＩＰ電話機のＩＰアドレスＩＡおよびＭＡＣアドレスＭＡを電話番号データテーブルＴＤに登録することにより、ＶｏＩＰ電話システム１の全てのＩＰ電話機を管理することができる。例えば、電話番号ＢＴの「２１００番」に対応してＩＰアドレスＩＡの「１０．７７．１９１．１」およびＭＡＣアドレスＭＡの「１０．１０．１０．０１」を関連付けて管理する。
【００５０】
表示手段９は、パーソナルコンピュータ等の画面で構成し、記憶手段７に一時記憶されたＩＰアドレスＩＡ、ＭＡＣアドレスＭＡを表示する。また、表示手段９は、記憶手段７に格納された図３に示す電話番号採番テーブルＴＳおよび図４に示す電話番号データテーブルＴＤを表示する。
【００５１】
キー入力手段１０は、パーソナルコンピュータ等のキーボード、マウスなどで構成し、システム運用後に増設する少ない台数のＩＰ電話機の電話番号を設定する時に、手動で電話番号を設定する操作を行う。
【００５２】
切替手段１１は、スイッチまたはキー入力手段１０のキーボードで兼用し、システム運用前に、ＩＰ電話機の電話番号の自動設定、またはシステム運用後に、ＩＰ電話機の電話番号の手動設定を切り換えて行う。
【００５３】
電話番号の手動設定の場合、記憶手段７に格納された図３に示す電話番号採番テーブルＴＳを表示手段９に表示し、該当する個所（ネットワークアドレスＷＡ、電話番号帯ＢＮおよび採番済電話番号ＢＴ）を確認し、採番済電話番号ＢＴの欄に新たな電話番号ＢＴをキー入力手段１０から入力することで実行できる。
【００５４】
このように、この発明に係る電話番号採番手段３は、ＶｏＩＰ網ＮＴに接続してＩＰパケットを送受信するインタフェース手段４、ＶｏＩＰ網ＮＴから受信したＩＰ電話機のＩＰアドレスＩＡおよびＭＡＣアドレスＭＡを記憶するとともに、電話番号採番テーブルＴＳおよび電話番号データテーブルＴＤを格納する記憶手段７、記憶手段７に記憶されたＩＰアドレスＩＡを解析し、ネットワークアドレスＷＡを検出するデータ解析・検出手段６、データ解析・検出手段６が検出したネットワークアドレスＷＡに基づいて記憶手段７に格納された電話番号採番テーブルＴＳを参照して電話番号ＢＴを採番し、ＩＰ電話機に通知するとともに、採番した電話番号ＢＴを記憶手段７に格納された電話番号データテーブルＴＤに登録する制御手段５を備えたので、ＩＰ電話機のＩＰアドレスＩＡを解析してネットワークアドレスＷＡを検出し、電話番号採番テーブルＴＳを参照して電話番号帯ＢＮから電話番号ＢＴを採番してＩＰ電話機に通知するとともに、採番した電話番号ＢＴ、ＩＰアドレスＩＡおよびＭＡＣアドレスＭＡを電話番号データテーブルＴＤに登録することができる。
【００５５】
なお、本実施の形態では、電話番号を採番するＩＰ電話機の拠点を拠点Ａ〜拠点Ｅの５箇所について説明したが、拠点は６箇所以上でも本発明を適用することができる。
【００５６】
次に、ゲートキーパ装置の電話番号採番方法について説明する。図５はこの発明に係るゲートキーパ装置の電話番号採番方法の一実施の形態要部動作フロー図である。
【００５７】
図５において、ステップＳ１では、ＩＰ電話機からＩＰアドレス、ＭＡＣアドレスを受信して記憶する。なお、ステップＳ１の動作は、インタフェース手段４、制御手段５および記憶手段７が実行する。
【００５８】
ステップＳ２では、ＩＰアドレスを解析し、ネットワークアドレスを検出する。なお、ステップＳ２の動作は、データ解析・検出手段６が実行する。
【００５９】
ステップＳ３では、電話番号帯の採番済み電話番号に＋１を加算する。なお、ステップＳ３の動作は、電話番号決定手段８が実行する。
【００６０】
ステップＳ４では、採番した電話番号が電話番号帯を超えるか否かを判定し、超えない場合にはステップＳ５に移行する。一方、越える場合には採番不可と判断して電話番号の採番処理を終了する。なお、ステップＳ４の動作は、制御手段５が実行する。
【００６１】
ステップＳ５では、採番した電話番号、ＩＰアドレス、ＭＡＣアドレスを登録する。なお、ステップＳ５の動作は、制御手段５および記憶手段７が実行する。
【００６２】
ステップＳ６では、採番した電話番号をＩＰ電話機に通知する。なお、ステップＳ６の動作は、インタフェース手段４および制御手段５が実行する。
【００６３】
このように、この発明に係るゲートキーパ装置の電話番号採番方法は、ＩＰ電話機からＩＰアドレス、ＭＡＣアドレスを受信して記憶するステップＳ１と、ＩＰアドレスを解析し、ネットワークアドレスを検出するステップＳ２と、電話番号帯の採番済み電話番号に＋１を加算するステップＳ３と、採番した電話番号が電話番号帯を超えるか否かを判定するステップＳ４と、採番した電話番号、ＩＰアドレス、ＭＡＣアドレスを登録するステップＳ５と、採番した電話番号をＩＰ電話機に通知するステップＳ６とを備えたので、ネットワークアドレスと電話番号帯との対応した採番済電話番号に＋１を加算することで新たな電話番号を採番することができ、電話番号の自動採番の拡張性に優れ、利便性の向上を図ることができる。
【００６４】
【発明の効果】
以上説明したように、この発明に係るゲートキーパ装置は、ＩＰ電話機の運用開始前に、ＩＰ電話機からＶｏＩＰ網を介して送信されてくるＭＡＣ（Ｍｅｄｉａ　Ａｃｃｅｓｓ　Ｃｏｎｔｒｏｌ）アドレスおよびＩＰ（Ｉｎｔｅｒｎｅｔ　Ｐｒｏｔｏｃｏｌ）アドレスのうち、ＩＰアドレスに含まれるネットワークアドレスに基づいて予め設定された電話番号帯から電話番号を採番してＩＰ電話機に通知するとともに、採番した電話番号、ＩＰアドレスおよびＭＡＣアドレスを関連付けて登録し、管理する電話番号採番手段を備えたので、ＩＰ電話機が接続されるネットワークのネットワークアドレスと電話番号帯（最初の電話番号と終わりの電話番号、例えば、２１００番と２１９９番）を指定することにより、電話番号帯の台数分の電話番号を自動的に採番し、電話番号データとして登録することができ、単純なデータ設定で大幅な工数削減を実現するとともに、利便性の向上を図ることができる。
【００６５】
また、この発明に係る電話番号採番手段は、ＶｏＩＰ網に接続してＩＰパケットを送受信するインタフェース手段、ＶｏＩＰ網から受信したＩＰ電話機のＩＰアドレスおよびＭＡＣアドレスを記憶するとともに、電話番号採番テーブルおよび電話番号データテーブルを格納する記憶手段、記憶手段に記憶されたＩＰアドレスを解析し、ネットワークアドレスを検出するデータ解析・検出手段、データ解析・検出手段が検出したネットワークアドレスに基づいて記憶手段に格納された電話番号採番テーブルを参照して電話番号を採番し、ＩＰ電話機に通知するとともに、採番した電話番号を記憶手段に格納された電話番号データテーブルに登録する制御手段を備えたので、ＩＰ電話機のＩＰアドレスを解析してネットワークアドレスを検出し、電話番号採番テーブルを参照して電話番号帯から電話番号を採番してＩＰ電話機に通知するとともに、採番した電話番号、ＩＰアドレスおよびＭＡＣアドレスを電話番号データテーブルに登録することができる。
【００６６】
さらに、この発明に係る電話番号採番テーブルは、ネットワークアドレスに対応した電話番号帯および採番済電話番号のデータで形成するので、ＩＰ電話機から供給されるＩＰアドレスに含まれるネットワークアドレスが判明すると、電話番号帯域の中からＩＰ電話機の電話番号を採番することができ、準備するテーブルを単純化して作業工数の削減を実現することができる。
【００６７】
また、この発明に係る電話番号帯は、複数のグループで形成し、各グループに複数の電話番号が含まれるので、ＩＰ電話機が設置される拠点が複数箇所で、ＩＰ電話機の台数が多く、将来に亘って増設が予想される場合にも充分対応することができ、システムの拡張性をアピールすることができる。
【００６８】
さらに、この発明に係る電話番号データテーブルは、採番した電話番号に対応したＩＰ電話機のＩＰアドレスおよびＭＡＣアドレスのデータで形成するので、採番した電話番号に対応したＩＰ電話機のＩＰアドレスおよびＭＡＣアドレスのデータに基づいて全ＩＰ電話機を管理することができる。
【００６９】
また、この発明に係る制御手段は、データ解析・検出手段が検出したネットワークアドレスに基づいて電話番号採番テーブルの電話番号帯を検索し、検索した電話番号帯で採番済みの最も大きい数字の電話番号に＋１を加算処理して新たな電話番号を採番する電話番号決定手段を備えたので、＋１を加算するという単純な演算で新たな電話番号を採番することができ、装置の単純化を図ることができる。
【００７０】
さらに、この発明に係るゲートキーパ装置の電話番号採番方法は、ＩＰ電話機からＩＰアドレス、ＭＡＣアドレスを受信して記憶するステップ（Ｓ１）と、ＩＰアドレスを解析し、ネットワークアドレスを検出するステップ（Ｓ２）と、電話番号帯の採番済み電話番号に＋１を加算するステップ（Ｓ３）と、採番した電話番号が電話番号帯を超えるか否かを判定するステップ（Ｓ４）と、採番した電話番号、ＩＰアドレス、ＭＡＣアドレスを登録するステップ（Ｓ５）と、採番した電話番号をＩＰ電話機に通知するステップ（Ｓ６）とを備えたので、ネットワークアドレスと電話番号帯との対応した採番済電話番号に＋１を加算することで新たな電話番号を採番することができ、電話番号の自動採番の拡張性に優れ、利便性の向上を図ることができる。
【図面の簡単な説明】
【図１】この発明に係るゲートキーパ装置が適用されるＶｏＩＰ電話システムの一実施の形態構成図
【図２】この発明に係る電話番号採番手段の一実施の形態要部ブロック構成図
【図３】この発明に係る電話番号採番テーブルの一実施の形態イメージ図
【図４】この発明に係る電話番号データテーブルの一実施の形態イメージ図
【図５】この発明に係るゲートキーパ装置の電話番号採番方法の一実施の形態要部動作フロー図
【符号の説明】
１　ＶｏＩＰ電話システム
２　ゲートキーパ装置
３　電話番号採番手段
４　インタフェース手段
５　制御手段
６　データ解析・検出手段
７　記憶手段
８　電話番号決定手段
９　表示手段
１０　キー入力手段
１１　切替手段
ＮＴ　　ＶｏＩＰ網
ＮＳ１〜ＮＳ５　サブネット
ＩＰ−Ｔ１１〜ＩＰ−Ｔ５ｎ　ＩＰ電話機
Ｒ１〜Ｒ５　ルータ
ＴＳ　　電話番号採番テーブル
ＴＤ　　電話番号データテーブル
ＩＡ　　ＩＰアドレス
ＭＡ　　ＭＡＣアドレス
ＢＴ　　電話番号
ＢＮ　　電話番号帯
ＷＡ　　ネットワークアドレス
【図１】
2004147101.tif 000003
【図２】
2004147101.tif 000004
【図３】
2004147101.tif 000005
【図４】
2004147101.tif 000006
【図５】
2004147101.tif 000007